(57)【要約】      （修正有）【課題】カテーテルアセンブリを提供する。【解決手段】カテーテルアセンブリ１０であって、カテーテルアセンブリは、リーディング端部分とトレーリング端部分とを含むカテーテル２０と、カテーテルのトレーリング端部分において支持されているカラー３０と、第１のセクション４２と第２のセクション４４とを含む延長チューブアセンブリ４０とを含み、各セクションは、他方のセクションから独立しており、各セクションは、実質的に剛体である本体部分５０と、圧縮性延長チューブ部分６０とを含み、第１および第２のセクションの各々の本体部分は、独立してカテーテルのトレーリング端部分と係合可能であり、カラーは、延長チューブアセンブリの第１および第２のセクションと係合可能であることにより、延長チューブアセンブリをカテーテルのトレーリング端部分に固定する、カテーテルアセンブリを提供する。【選択図】図２
2014061372.tif 000002
【特許請求の範囲】
【請求項１】
カテーテルアセンブリであって、該カテーテルアセンブリは、
リーディング端部分とトレーリング端部分とを含むカテーテルと、
該カテーテルの該トレーリング端部分において支持されているカラーと、
第１のセクションと第２のセクションとを含む延長チューブアセンブリと
を含み、各セクションは、他方のセクションから独立しており、各セクションは、実質的に剛体である本体部分と、圧縮性延長チューブ部分とを含み、該第１および第２のセクションの各々の該本体部分は、独立して該カテーテルの該トレーリング端部分と係合可能であり、該カラーは、該延長チューブアセンブリの該第１および第２のセクションと係合可能であることにより、該延長チューブアセンブリを該カテーテルの該トレーリング端部分に固定する、
カテーテルアセンブリ。
【請求項２】
前記カラーは、ねじ切りされており、前記延長チューブアセンブリの前記第１のセクションの本体部分は、第１のねじ切りされたセグメントを含み、該延長チューブアセンブリの前記第２のセクションの本体部分は、第２のねじ切りされたセグメントを含み、該第１および第２のねじ切りされたセグメントの各々は、前記カラーと螺合可能に係合可能である、請求項１に記載のカテーテルアセンブリ。
【請求項３】
前記延長チューブアセンブリの前記第１および第２のセクションの本体部分が互いに隣接して配置されている場合、該第１のセクションの本体部分の前記第１のねじ切りされたセグメントおよび該第２のセクションの本体部分の前記第２のねじ切りされたセグメントは、同時に、前記カラーと螺合可能に係合可能である、請求項２に記載のカテーテルアセンブリ。
【請求項４】
前記第１のセクションの本体部分の前記第１のねじ切りされたセグメントおよび前記第２のセクションの本体部分の前記第２のねじ切りされたセグメントは、一緒に該第１および第２のセクションの本体部分を取り囲む環状のねじ切りされた配置を規定する、請求項２または３に記載のカテーテルアセンブリ。
【請求項５】
前記第１のセクションの本体部分の前記第１のねじ切りされたセグメントおよび前記第２のセクションの本体部分の前記第２のねじ切りされたセグメントは、前記延長チューブアセンブリを通って規定される長手方向軸に沿って該第１および第２のねじ切りされたセグメントが軸方向に整列させられている場合、前記環状のねじ切りされた配置を規定する、請求項４に記載のカテーテルアセンブリ。
【請求項６】
前記延長チューブアセンブリの前記第１および第２のセクションのうちの少なくとも１つは、該第１のセクションと該第２のセクションとを軸方向に整列させる嵌合特徴を含む、請求項２または３に記載のカテーテルアセンブリ。
【請求項７】
前記第１のセクションは、前記第１の本体部分において規定される少なくとも１つのスロットを含む第１の嵌合特徴を有し、前記第２のセクションは、前記第２の本体部分から延びている少なくとも１つの移動止めを含む第２の嵌合特徴を有し、該少なくとも１つの移動止めは、該第１のセクションの本体部分の前記第１のねじ切りされたセグメントを該第２のセクションの本体部分の前記第２のねじ切りされたセグメントに整列させるために、該少なくとも１つのスロット内に位置決め可能である、請求項６に記載のカテーテルアセンブリ。
【請求項８】
前記嵌合特徴は、接着性材料、磁性材料、またはそれらの組み合わせのうちの少なくとも１つを含む、請求項６に記載のカテーテルアセンブリ。
【請求項９】
前記カテーテルは、第１の管腔と第２の管腔とを規定し、前記延長チューブアセンブリの前記第１および第２のセクションの本体部分が該カテーテルの前記トレーリング端部分と係合されている場合、該第１の管腔は、該延長チューブアセンブリの該第１のセクションの延長チューブ部分と流体連通し、該第２の管腔は、該延長チューブアセンブリの該第２のセクションの延長チューブ部分と流体連通する、請求項１〜３のうちのいずれか１項に記載のカテーテルアセンブリ。
【請求項１０】
前記第１および第２のセクションの本体部分は、各々、平面表面を含み、各平面表面は、該第１および第２のセクションの本体部分が前記カテーテルの前記トレーリング端部分と係合されている場合、他方のセクションの該平面表面の向かい側に配置されている、請求項１〜３のうちのいずれか１項に記載のカテーテルアセンブリ。
【請求項１１】
前記カラーは、該カラーと、前記延長チューブアセンブリの前記第１および第２のセクションの本体部分とを螺合係合するために、前記カテーテルの前記トレーリング端部分の周りに、該延長チューブアセンブリに対して回転可能に配置されることにより、該延長チューブアセンブリを該カテーテルの該トレーリング端部分に固定する、請求項１〜３のうちのいずれか１項に記載のカテーテルアセンブリ。
【発明の詳細な説明】
【技術分野】
【０００１】
技術分野
本開示は、一般にカテーテルアセンブリに関し、より詳しくは、交換可能な構成要素を有するカテーテルアセンブに関する。
【背景技術】
【０００２】
背景
カテーテルは、体腔、管路、および管からの流体の取り出し、ならびに体腔、管路、および管への流体の導入を容易にする可撓な医学的器具である。処置のために血液が血管から取り出され、その後、循環のために血管に戻される血液透析手順において、カテーテルは特定の用途を有し得る。公知の血液透析カテーテルアセンブリとしては、カテーテル内で二方向性の流体流を可能にする複数管腔カテーテル（例えば、２管腔カテーテルまたは３管腔カテーテル）が挙げられ、一方の管腔は、管から血液を取り出すために用いられ、他方の管腔は、処理された血液を管に戻すために用いられる。例示的な血液透析手順中、複数管腔カテーテルは、身体の中に挿入され、血液は、カテーテルの動脈管腔を通って取り出される。除かれた血液は、延長チューブを介して血液透析器に向けられ、血液透析器は、老廃物および毒素を除去するために、この血液を透析するかまたは浄化する。
【０００３】
代表的に、延長チューブアセンブリは、複数管腔カテーテルの近位端に接続され、医学的デバイス（例えば、血液透析器）と連通するように適合される。延長チューブアセンブリは、カテーテルの動脈管腔を血液透析器に連通するための第１の延長チューブと、カテーテルの静脈管腔を血液透析器と連通するための第２の延長チューブとを含む。
【０００４】
透析処置のための複数管腔カテーテルは、長期間にわたって使用するために患者内に置かれる。そのような使用の間、延長チューブは摩耗し得、透析カテーテルおよび／または延長チューブアセンブリの交換を必要とする。
【発明の概要】
【課題を解決するための手段】
【０００５】
概要
一般に、本開示の１つの局面に従って、カテーテルアセンブリは、カテーテルと、カラーと、延長チューブアセンブリとを含む。カテーテルは、リーディング端部分とトレーリング端部分とを含む。カラーは、カテーテルのトレーリング端部分において支持される。カテーテルは、第１の管腔と第２の管腔とを規定する。
【０００６】
延長チューブアセンブリは、第１のセクションと第２のセクションとを含み、各セクションは、他方のセクションから独立しており、各セクションは、実質的に剛体である本体部分と、圧縮性延長チューブ部分とを含む。第１および第２のセクションの各々の本体部分は、独立してカテーテルのトレーリング端部分と係合可能であり、カラーは、延長チューブアセンブリの第１および第２のセクションと係合可能であることにより、延長チューブアセンブリをカテーテルのトレーリング端部分に固定する。延長チューブアセンブリの第１および第２のセクションの本体部分が、カテーテルのトレーリング端部分と係合されている場合、カテーテルの第１の管腔は、延長チューブアセンブリの第１のセクションの延長チューブ部分と流体連通し、カテーテルの第２の管腔は、延長チューブアセンブリの第２のセクションの延長チューブ部分と流体連通する。
【０００７】
ねじ切りされているカラーは、カラーと、延長チューブアセンブリの第１および第２のセクションの本体部分とを螺合係合するために、カテーテルのトレーリング端部分の周りに、延長チューブアセンブリに対して回転可能に配置されることにより、延長チューブアセンブリをカテーテルのトレーリング端部分に固定する。
【０００８】
延長チューブアセンブリの第１および第２のセクションの本体部分は、各々、平面表面を含む。各平面表面は、第１および第２のセクションの本体部分がカテーテルのトレーリング端部分と係合されている場合、他方のセクションの平面表面の向かい側に配置される。第１のセクションの本体部分は、第１のねじ切りされたセグメントを含み、第２のセクションの本体部分は、第２のねじ切りされたセグメントを含む。第１および第２のねじ切りされたセグメントの各々は、カラーと螺合可能に係合される。延長チューブアセンブリの第１および第２のセクションの本体部分が互いに隣接して配置される場合、第１のセクションの本体部分の第１のねじ切りされたセグメントおよび第２のセクションの本体部分の第２のねじ切りされたセグメントは、同時に、カラーと螺合可能に係合可能であり得る。第１のセクションの本体部分の第１のねじ切りされたセグメントおよび第２のセクションの本体部分の第２のねじ切りされたセグメントは、一緒に第１および第２のセクションの本体部分を取り囲む環状のねじ切りされた配置を規定する。第１のセクションの本体部分の第１のねじ切りされたセグメントおよび第２のセクションの本体部分の第２のねじ切りされたセグメントは、延長チューブアセンブリを通って規定される長手方向軸に沿って第１および第２のねじ切りされたセグメントが軸方向に整列させられている場合、環状のねじ切りされた配置を規定する。
【０００９】
延長チューブアセンブリの第１および第２のセクションのうちの一方または両方は、第１のセクションと第２のセクションとを軸方向に整列させる嵌合特徴を含み得る。嵌合特徴は、接着性材料、磁性材料、またはそれらの組み合わせのうちの１つ以上を含み得る。第１のセクションは、第１の本体部分において規定される１つ以上のスロットを含む第１の嵌合特徴を有し得、第２のセクションは、第２の本体部分から延びている１つ以上の移動止めを含む第２の嵌合特徴を有し得る。１つ以上の移動止めは、第１のセクションの本体部分の第１のねじ切りされたセグメントを第２のセクションの本体部分の第２のねじ切りされたセグメントに整列させるために、１つ以上のスロット内に位置決め可能である。
【００１０】
一般に、本開示の別の局面に従って、カテーテルへの取り付けのための延長チューブアセンブリは、第１のセクションと第２のセクションとを含む。第１のセクションは、第１の本体部分と第１の延長チューブ部分とを含む。第１の本体部分は、カテーテルのトレーリング端部分に固定可能であり、第１の延長チューブ部分は、医学的デバイスに固定可能である。第２のセクションは、第２の本体部分と第２の延長チューブ部分とを含む。第２の本体部分は、第１の本体部分から独立して、カテーテルのトレーリング端部分に固定可能であり、第２の延長チューブ部分は、医学的デバイスに固定可能である。第２のセクションは、第１のセクションから分離可能であり、第１のセクションと別個である。
【００１１】
第１の本体部分および第２の本体部分は、各々、平面表面を含む。各平面表面は、第１および第２の本体部分がカテーテルのトレーリング端と係合されている場合、他方の平面表面の向かい側に配置される。第１のセクションの第１の本体部分は、第１のねじ切りされたセグメントを含み、第２のセクションの第２の本体部分は、第２のねじ切りされたセグメントを含む。第１および第２のねじ切りされたセグメントが互いに隣接して配置されている場合、第１および第２の本体部分は、環状のねじ切りされた配置を一緒に規定する。第１および第２の本体部分の環状のねじ切りされた配置は、第１および第２の本体部分を同時にカテーテルに固定するために、カテーテルにおいて支持されているカラーと螺合可能に係合可能である。
【００１２】
第１および第２のセクションのうちの一方または両方は、第１のセクションを第２のセクションに軸方向に整列させる嵌合特徴を含む。嵌合特徴は、接着性材料、磁性材料、またはそれらの組み合わせのうちの１つ以上を含み得る。第１のセクションは、第１の本体部分において規定される１つ以上のスロットを含む第１の嵌合特徴を有し得、第２のセクションは、第２の本体部分から延びている１つ以上の移動止めを含む第２の嵌合特徴を有し得る。１つ以上の移動止めは、第１の本体部分を第２の本体部分に軸方向に整列させるために、１つ以上のスロット内に位置決め可能である。
【００１３】
実施形態は、以下の利点のうちの１つ以上を含み得る。
【００１４】
いくつかの実施形態において、延長チューブアセンブリの第１および第２のセクションの各本体部分は、独立してカテーテルのトレーリング端部分と係合可能である。カテーテルのトレーリング端部分への延長チューブアセンブリの第１および第２のセクションのそのような独立した係合は、延長チューブアセンブリの全てまたは一部分の交換を容易にし得る。例えば、延長チューブアセンブリの第１および／または第２のセクションは、延長チューブアセンブリ全体の交換および／またはカテーテルアセンブリ全体の交換を必要とすることなく交換され得る。
【００１５】
特定の実施形態において、カテーテルにおいて支持されているカラーは、延長チューブアセンブリの第１および第２のセクションと係合可能であることにより、延長チューブアセンブリをカテーテルのトレーリング端部分に固定する。延長チューブアセンブリの第１および第２のセクションへのカラーのそのような係合は、さらにまたは代替的に、延長チューブアセンブリの全てまたは一部分の交換を容易にし得る。例えば、カラーと、第１および第２のセクションとの係合および脱係合は、延長チューブアセンブリ全体の交換および／またはカテーテルアセンブリ全体の交換を必要とすることなく、延長チューブアセンブリの第１および第２のセクションのうちの一方または両方の取り外しを容易にし得る。
【００１６】
本発明は、例えば以下の項目を提供する。
（項目１）
カテーテルアセンブリであって、該カテーテルアセンブリは、
リーディング端部分とトレーリング端部分とを含むカテーテルと、
該カテーテルの該トレーリング端部分において支持されているカラーと、
第１のセクションと第２のセクションとを含む延長チューブアセンブリと
を含み、各セクションは、他方のセクションから独立しており、各セクションは、実質的に剛体である本体部分と、圧縮性延長チューブ部分とを含み、該第１および第２のセクションの各々の該本体部分は、独立して該カテーテルの該トレーリング端部分と係合可能であり、該カラーは、該延長チューブアセンブリの該第１および第２のセクションと係合可能であることにより、該延長チューブアセンブリを該カテーテルの該トレーリング端部分に固定する、
カテーテルアセンブリ。
（項目２）
上記カラーは、ねじ切りされており、上記延長チューブアセンブリの上記第１のセクションの本体部分は、第１のねじ切りされたセグメントを含み、該延長チューブアセンブリの上記第２のセクションの本体部分は、第２のねじ切りされたセグメントを含み、該第１および第２のねじ切りされたセグメントの各々は、上記カラーと螺合可能に係合可能である、上記項目に記載のカテーテルアセンブリ。
（項目３）
上記延長チューブアセンブリの上記第１および第２のセクションの本体部分が互いに隣接して配置されている場合、該第１のセクションの本体部分の上記第１のねじ切りされたセグメントおよび該第２のセクションの本体部分の上記第２のねじ切りされたセグメントは、同時に、上記カラーと螺合可能に係合可能である、上記項目のうちのいずれか１項に記載のカテーテルアセンブリ。
（項目４）
上記第１のセクションの本体部分の上記第１のねじ切りされたセグメントおよび上記第２のセクションの本体部分の上記第２のねじ切りされたセグメントは、一緒に該第１および第２のセクションの本体部分を取り囲む環状のねじ切りされた配置を規定する、上記項目のうちのいずれか１項に記載のカテーテルアセンブリ。
（項目５）
上記第１のセクションの本体部分の上記第１のねじ切りされたセグメントおよび上記第２のセクションの本体部分の上記第２のねじ切りされたセグメントは、上記延長チューブアセンブリを通って規定される長手方向軸に沿って該第１および第２のねじ切りされたセグメントが軸方向に整列させられている場合、上記環状のねじ切りされた配置を規定する、上記項目のうちのいずれか１項に記載のカテーテルアセンブリ。
（項目６）
上記延長チューブアセンブリの上記第１および第２のセクションのうちの少なくとも１つは、該第１のセクションと該第２のセクションとを軸方向に整列させる嵌合特徴を含む、上記項目のうちのいずれか１項に記載のカテーテルアセンブリ。
（項目７）
上記第１のセクションは、上記第１の本体部分において規定される少なくとも１つのスロットを含む第１の嵌合特徴を有し、上記第２のセクションは、上記第２の本体部分から延びている少なくとも１つの移動止めを含む第２の嵌合特徴を有し、該少なくとも１つの移動止めは、該第１のセクションの本体部分の上記第１のねじ切りされたセグメントを該第２のセクションの本体部分の上記第２のねじ切りされたセグメントに整列させるために、該少なくとも１つのスロット内に位置決め可能である、上記項目のうちのいずれか１項に記載のカテーテルアセンブリ。
（項目８）
上記嵌合特徴は、接着性材料、磁性材料、またはそれらの組み合わせのうちの少なくとも１つを含む、上記項目のうちのいずれか１項に記載のカテーテルアセンブリ。
（項目９）
上記カテーテルは、第１の管腔と第２の管腔とを規定し、上記延長チューブアセンブリの上記第１および第２のセクションの本体部分が該カテーテルの上記トレーリング端部分と係合されている場合、該第１の管腔は、該延長チューブアセンブリの該第１のセクションの延長チューブ部分と流体連通し、該第２の管腔は、該延長チューブアセンブリの該第２のセクションの延長チューブ部分と流体連通する、上記項目のうちのいずれか１項に記載のカテーテルアセンブリ。
（項目１０）
上記第１および第２のセクションの本体部分は、各々、平面表面を含み、各平面表面は、該第１および第２のセクションの本体部分が上記カテーテルの上記トレーリング端部分と係合されている場合、他方のセクションの該平面表面の向かい側に配置されている、上記項目のうちのいずれか１項に記載のカテーテルアセンブリ。
（項目１１）
上記カラーは、該カラーと、上記延長チューブアセンブリの上記第１および第２のセクションの本体部分とを螺合係合するために、上記カテーテルの上記トレーリング端部分の周りに、該延長チューブアセンブリに対して回転可能に配置されることにより、該延長チューブアセンブリを該カテーテルの該トレーリング端部分に固定する、上記項目のうちのいずれか１項に記載のカテーテルアセンブリ。
（項目１２）
カテーテルに取り付けるための延長チューブアセンブリであって、該延長チューブアセンブリは、
第１の本体部分と第１の延長チューブ部分とを含む第１のセクションであって、該第１の本体部分は、該カテーテルのトレーリング端部分に固定可能であり、該第１の延長チューブ部分は、医学的デバイスに固定可能である、第１のセクションと、
第２の本体部分と第２の延長チューブ部分とを含む第２のセクションであって、該第２の本体部分は、該第１の本体部分から独立して、該カテーテルの該トレーリング端部分に固定可能であり、該第２の延長チューブ部分は、該医学的デバイスに固定可能である、第２のセクションと
を含む、延長チューブアセンブリ。
（項目１３）
上記第１のセクションの上記第１の本体部分は、第１のねじ切りされたセグメントを含み、上記第２のセクションの上記第２の本体部分は、第２のねじ切りされたセグメントを含み、該第１および第２の本体部分は、該第１および第２のねじ切りされたセグメントが互いに隣接して配置されている場合、環状のねじ切りされた配置を一緒に規定する、上記項目のうちのいずれか１項に記載の延長チューブアセンブリ。
（項目１４）
上記第１および第２の本体部分の上記環状のねじ切りされた配置は、該第１および第２の本体部分を同時に上記カテーテルに固定するために、該カテーテルにおいて支持されているカラーと螺合可能に係合可能である、上記項目のうちのいずれか１項に記載の延長チューブアセンブリ。
（項目１５）
上記第１および第２のセクションのうちの少なくとも１つは、該第１のセクションを該第２のセクションに軸方向に整列させる嵌合特徴を含む、上記項目のうちのいずれか１項に記載の延長チューブアセンブリ。
（項目１６）
上記第１のセクションは、上記第１の本体部分において規定される少なくとも１つのスロットを含む第１の嵌合特徴を有し、上記第２のセクションは、上記第２の本体部分から延びている少なくとも１つの移動止めを含む第２の嵌合特徴を有し、該少なくとも１つの移動止めは、該第１の本体部分を該第２の本体部分に軸方向に整列させるために、該少なくとも１つのスロット内に位置決め可能である、上記項目のうちのいずれか１項に記載の延長チューブアセンブリ。
（項目１７）
上記嵌合特徴は、接着性材料、磁性材料、またはそれらの組み合わせのうちの少なくとも１つを含む、上記項目のうちのいずれか１項に記載の延長チューブアセンブリ。
（項目１８）
上記第１の本体部分および上記第２の本体部分は、各々、平面表面を含み、各平面表面は、該第１および第２の本体部分が上記カテーテルの上記トレーリング端部分と係合されている場合、他方の平面表面の向かい側に配置される、上記項目のうちのいずれか１項に記載の延長チューブアセンブリ。
【００１７】
（摘要）
カテーテルアセンブリは、カテーテルと、カラーと、延長チューブアセンブリとを含む。カテーテルは、リーディング端部分とトレーリング端部分とを含む。カラーは、カテーテルのトレーリング端部分において支持される。延長チューブアセンブリは、第１のセクションと第２のセクションとを含み、各セクションは、他方のセクションから独立しており、実質的に剛体である本体部分と、圧縮性延長チューブ部分とを含む。第１および第２のセクションの各々の本体部分は、独立してカテーテルのトレーリング端部分と係合可能である。カラーは、延長チューブアセンブリをカテーテルのトレーリング端部分に固定するために、延長チューブアセンブリの第１および第２のセクションを係合するように構成されている。
【００１８】
他の局面、特徴、および利点は、図面の説明および特許請求の範囲から明らかである。
【図面の簡単な説明】
【００１９】
【図１】図１は、カテーテルアセンブリの正面斜視図である。
【図２】図２は、図１のカテーテルアセンブリの、部品が分離された正面斜視図である。
【図３】図３は、図１のカテーテルアセンブリのカテーテルの遠位端部分およびカラーの正面斜視図である。
【図４】図４は、カテーテルアセンブリの延長チューブアセンブリの正面斜視図である。
【図５】図５は、カテーテルアセンブリの延長チューブアセンブリの正面斜視図である。
【図６Ａ】図６Ａは、カテーテルアセンブリの延長チューブアセンブリの第１および第２のセクションの側面図である。
【図６Ｂ】図６Ｂは、図６Ａの延長チューブアセンブリの正面斜視図である。
【発明を実施するための形態】
【００２０】
詳細な説明
本明細書中で用いられる場合、用語「近位」または「トレーリング」は、臨床医により近い構造の部分を指し、他方、用語「遠位」または「リーディング」は、臨床医からより遠い構造の部分を指す。本明細書中で用いられる場合、用語「患者」は、ヒト患者または他の動物を指す。用語「臨床医」は、医師、看護師、または他の世話をする人を指し、援助要員を含み得る。
【００２１】
次に図１〜図３を参照すると、カテーテルアセンブリ１０は、カテーテル２０と、カラー３０と、延長チューブアセンブリ４０とを含む。カテーテル２０は、隔壁２４を有する細長い本体２２を含み、隔壁２４は、隔壁２４の対向する側に第１の管腔２６および第２の管腔２８を規定するように、細長い本体２２の長さを延びている。第１の管腔２６および第２の管腔２８は、図２に示されるように、実質的にＤ字形の断面を有し得る。さらにまたは代替的に、第１の管腔２６および第２の管腔２８は、他の断面（例えば、円形、楕円形、多角形など）を有し得る。細長い本体２２は、細長い本体２２のトレーリング端とリーディング端との間を延びる長手方向軸「Ｌ」を規定する。カテーテル２０の細長い本体２２は、下でさらに詳細に記載されるように、細長い本体２２の外側表面２２ａ上に配置されている環２５を含み得る。
【００２２】
カラー３０は、カテーテル２０の細長い本体２２の近位部分において支持される。カラー３０は、内部表面３４と外部表面３６とを有するカラー本体３２を含む。内部表面３４は、カラー３０の一方の端部におけるねじ切りされた部分３４ａと、カラー３０の他方の端部における唇部分３４ｂとを含む。唇部分３４ｂは、カラー３０がカテーテル２０の近位端部分を覆ってスライドする可能性、またはカテーテル２０の近位端部分からスライドして外れる可能性を低減するために、カテーテル２０の環２５と係合可能である。カラー３０は、カテーテル２０に対して軸方向に並進可能である。カテーテル２０に対するカラー３０の最近位位置において、カラー３０の唇部分３４ｂは、カテーテル２０の環２５を係合することにより、カテーテル２０に対するカラー３０のさらなる近位移動を制限し、他方、カテーテル２０の外側表面２２ａの周りの、カラー３０の回転移動を可能にする。
【００２３】
延長チューブアセンブリ４０は、第１のセクション４２と第２のセクション４４とを含み、第１のセクション４２および第２のセクション４４は、互いに実質的に同一である。各セクション４２、４４は、それぞれの管腔７０を一緒に規定する本体部分５０と延長チューブ部分６０とを含む。本体部分５０は、実質的に硬質材料（例えば、任意の硬質ポリマー材料）で形成され得、延長チューブ部分６０は、圧縮性材料（例えば、シリコーン、または任意の他の圧縮性材料）で形成され得る。いくつかの実施形態において、本体部分５０、および延長チューブ部分６０は、例えば、接着剤、摩擦ばめ、スナップばめ、成形、および／または任意の適切な機械的配置によって選択的に接続可能である。管腔７０は、各セクション４２、４４のリーディング端部分とトレーリング端部分との間を延び、例えば、実質的に円形の断面またはＤ字形の断面を有し得る。
【００２４】
本体部分５０は、曲線であり得るかまたは曲線部分を有し得る外側表面５２と、平面であり得るかまたは平面部分を有し得る内側表面５４を含む。外側表面５２は、下により詳細に記載されるように、カラー３０のねじ切りされた部分３４ａに螺合可能に係合するように構成されているねじ切りされたセグメント５６を含む。本体部分５０の内側表面５４のリーディング端部分は、本体部分５０のリーディング端がカテーテル２０の管腔２６、２８のうちの１つの中に位置決めされる場合、セクション４２、４４をカテーテル２０のトレーリング端部分に固定するために、カテーテル２０の隔壁２４を収容するように凹部を設けられ得る。
【００２５】
延長チューブ部分６０は、本体部分５０から近位方向に延び、本体部分５０内に部分的に配置され得る。実質的に硬質材料で形成され得るルアーアダプター８０は、延長チューブ６０のトレーリング端に固定される。クランプ９０は、第１のセクション４２および第２のセクション４４の各々の延長チューブ部分６０の周りに、ルアーアダプター８０の遠位に固定され得る。ルアーアダプター８０は、血液透析器（示されない）へのカテーテル１０の固定を容易にする。クランプ９０は、延長チューブ部分６０を圧縮することによって延長チューブ部分６０を通る血液の流れを制御するために、延長チューブ部分６０の周りで、クランプした構成とクランプ解除した構成との間を移動可能である。クランプ９０は、クランプした構成に配置される場合、延長チューブ部分６０を通る血液の流れを防止し、クランプ９０は、クランプ解除した構成に配置される場合、延長チューブ部分６０を通る血液の流れを可能にする。
【００２６】
使用中、延長チューブアセンブリ４０の第１のセクション４２および第２のセクション４４は、第１のセクション４２および第２のセクション４４の内側表面５４が互いに向かい合うように、互いに隣接している。この位置において、第１のセクション４２のねじ切りされたセグメント５６および第２のセクション４４のねじ切りされたセグメント５６は、第１のセクション４２および第２のセクション４４の本体部分５０を取り囲むかまたは実質的に取り囲む、環状のねじ切りされた配置を規定するように整列させられ得るか、または実質的に整列させられ得る。この配向において、第１のセクション４２および第２のセクション４４の本体部分５０のリーディング端は、カテーテル２０のそれぞれの第１の管腔２６および第２の管腔２８内に位置決めされ得る。第１のセクション４２および第２のセクション４４の本体部分５０は、カテーテル２０の第１の管腔２６および第２の管腔２８を、それぞれの第１のセクション４２および第２のセクション４４を通って規定される管腔７０と流体連通して位置決めするために、独立して、または集合的にカテーテル２０の第１の管腔２６および第２の管腔２８内に位置決めされ得る。
【００２７】
カラー３０は、上で議論されるように、カテーテル２０に対して遠位位置から近位位置に並進させられ得る。カラー３０のねじ切りされた部分３４ａは、延長チューブアセンブリ４０に隣接する位置へ近位方向に移動させられる場合、延長チューブアセンブリ４０の第１のセクション４２および第２のセクション４４のねじ切りされたセグメント５６を螺合可能に係合して、延長チューブアセンブリ４０の第１のセクション４２および第２のセクション４４をカテーテル２０のトレーリング端部分に固定する。特に、カラー３０は、第１のセクション４２および第２のセクション４４の各々をカテーテル２０に固定するために十分な態様で適切に締められるまで、延長チューブアセンブリ４０の周りに近位方向にねじ締めされる。
【００２８】
より詳しくは、カラー３０が延長チューブアセンブリ４０のセクション４２および４４のねじ切りされたセグメント５６に固定される場合、セクション４２および４４は、互いに対して引き寄せられ、セクション４２とセクション４４との間にカテーテル２０を圧縮し、カテーテル２０を延長チューブアセンブリ４０に固定する。延長チューブアセンブリ４０の第１のセクション４２および第２のセクション４４のうちの一方または両方が交換を必要とされる場合、臨床医は、セクション４２、４４のいずれか、または両方がカテーテル２０のそれぞれの管腔２６、２８から外され得、交換され得るように、カラー３０をカテーテル２０に対して遠位方向にねじ締め解除する。セクション４２および／またはセクション４４をカテーテル２０のそれぞれの管腔２６、２８内に再度位置決めすると、次にカラー３０は、上で議論されたように、第１のセクション４２および第２のセクション４４をカテーテル２０に固定するために、もう一度延長チューブアセンブリ４０の周りに近位方向にねじ締めされ得る。各セクション４２または４４は、他方のセクションから独立して個々に交換可能であり得る。
【００２９】
次に図４を参照すると、延長チューブアセンブリ３００は、第１のセクション３１０と第２のセクション３２０とを含む。延長チューブアセンブリ４０（図１〜図３）の第１のセクション４２および第２のセクション４４と同様に、第１のセクション３１０および第２のセクション３２０は、それらを通る管腔７０を規定し、延長チューブ部分６０と、ルアーアダプター８０と、クランプ９０とを含む。
【００３０】
第１のセクション３１０は、内側表面３１２ａと外側表面３１２ｂとを有する第１の本体部分３１２を含む。突起３１２ｃは、第１の本体部分３１２の内側表面３１２ａから延びる第１の嵌合特徴である。第２のセクション３２０は、内側表面３２２ａと外側表面３２２ｂとを有する第２の本体部分３２２を含む。第２の本体部分３２２の内側表面３２２ａは、第２の嵌合特徴であるスロット３２２ｃを規定する。スロット３２２ｃは、第１のセクション３１０および第２のセクション３２０の互いに対する相対的な整列および／または固定を容易にするために、第１のセクション３１０の突起３１２ｃを受け取る。
【００３１】
次に図５を参照すると、延長チューブアセンブリ４００は、第１のセクション４１０と、第２のセクション４２０とを含む。延長チューブアセンブリ４０（図１〜図３）の第１のセクション４２および第２のセクション４４と同様に、第１のセクション４１０および第２のセクション４２０は、それらを通る管腔７０を規定し、延長チューブ部分６０と、ルアーアダプター８０と、クランプ９０とを含む。
【００３２】
第１のセクション４１０は、内側表面４１２ａと外側表面４１２ｂとを有する第１の本体部分４１２を含む。第１の嵌合表面４１２ｃは、第１の本体部分４１２の内側表面４１２ａ上に支持されている第１の嵌合特徴である。第２のセクション４２０は、内側表面４２２ａと外側表面４２２ｂとを有する第２の本体部分４２２を含む。第２の本体部分４２２の内側表面４２２ａは、第２の嵌合特徴である第２の嵌合表面４２２ｃを支持している。第２の嵌合表面４２２ｃは、第１のセクション４１０および第２のセクション４２０の互いに対する相対的な整列および／または固定を容易にするために、第１のセクション４１０の第１の嵌合表面４１２ｃと嵌合する。第１の嵌合表面４１２ｃおよび第２の嵌合表面４２２ｃは、種々の異なる嵌合材料（磁性材料、接着性材料、およびそれらの組み合わせが挙げられる）のうちの任意のもので形成され得る。
【００３３】
図６Ａ〜図６Ｂを参照すると、延長チューブアセンブリ５００は、第１のセクション５１０と第２のセクション５２０とを含む。延長チューブアセンブリ４０の第１のセクション４２および第２のセクション４４と同様に、第１のセクション５１０および第２のセクション５２０は、それらを通る管腔７０を規定し、延長チューブ部分６０と、ルアーアダプター８０と、クランプ９０とを含む。
【００３４】
第１のセクション５１０は、内側表面５１２ａと外側表面５１２ｂとを有する第１の本体部分５１２を含む。第１の嵌合特徴、すなわち移動止め５１２ｃは、第１の本体部分５１２の内側表面５１２ａ上に支持される。第２のセクション５２０は、内側表面５２２ａと外側表面５２２ｂとを有する第２の本体部分５２２を含む。第２の本体部分５２２の内側表面５２２ａは、第２の嵌合特徴、すなわち移動止めスロット５２２ｃを規定する。移動止めスロット５２２ｃは、第１のセクション５１０および第２のセクション５２０の互いに対する相対的な整列および／または固定を容易にするために、第１のセクション５１０の移動止め５１２ｃを受け取る。移動止めスロット５２２ｃは、頂部セクション５２４ａと底部セクション５２４ｂとを含む。図６Ｂに示されるように、第１のセクション５１０の移動止め５１２ｃは、移動止めスロット５２２ｃのセクション５２４ａ、５２４ｂのうちの１つの中に挿入され、その結果、第１のセクション５１０と第２のセクション５２０との間の相対的なスライド移動が、第１のセクション５１０の移動止め５１２ｃを移動止めスロット５２２ｃの他方のセクションに位置決めする。移動止めスロット５２２ｃの頂部セクション５２４ａおよび底部セクション５２４ｂのうちの１つは、第１のセクション５１０と第２のセクション５２０との間の確実な相互接続を容易にするために他方のセクションよりも狭い場合がある。例えば、図６Ａに示されるように、底部セクション５２４ｂは、頂部セクション５２４ａから底部セクション５２４ｂへの移動止め５１２ｃの移動が第１のセクション５１０および第２のセクション５２０を互いに固定するように、頂部セクション５２４ａよりも狭い。
【００３５】
当業者は、本明細書中に詳しく記載され、添付の図面において例示される構造および方法が非限定的な例示的実施形態であること、ならびに記載、開示、および図面が単に特定の実施形態の例示として解釈されるべきことを理解する。従って、本開示が、記載される正確な実施形態に限定されないこと、ならびに種々の他の変更および改変が、本開示の範囲または趣旨から外れることなく、当業者によって達成され得ることが理解されるべきである。さらに、１つの例示的実施形態に関連して例示されるか、または記載される要素および特徴が、本開示の範囲から外れることなく別のものの要素および特徴と組み合わせられ得ること、ならびにそのような改変およびバリエーションがまた、本開示の範囲内に含まれることが意図されることが想定される。従って、本開示の主題は、詳しく示され記載されたものによって限定されるべきではない。
【符号の説明】
【００３６】
１０  カテーテルアセンブリ
２０  カテーテル
３０  カラー
４０、３００、４００、５００  延長チューブアセンブリ
【図１】
2014061372.tif 000003
【図２】
2014061372.tif 000004
【図３】
2014061372.tif 000005
【図４】
2014061372.tif 000006
【図５】
2014061372.tif 000007
【図６Ａ】
2014061372.tif 000008
【図６Ｂ】
2014061372.tif 000009